(57)【要約】【課題】高周波加熱調理装置の加熱効率を向上すること。【解決手段】マグネトロン２２を冷却する冷却ファン１８と、マグネトロン２２を冷却した風を加熱室２１に導くエアーガイド２４と、冷却空気を加熱室２１に取り入れるために加熱室壁面２１ａに設けられた吸気孔２５と、エアーガイド２４の壁面の一部にはその延長線が食品載置台３３の略中央部に向いた風向制御壁３１とを備え、マグネトロン２２を冷却し、エアーガイド２４内に入った熱風を風向制御壁３１によって食品載置台３３の略中央部に向けて吹き出すことにより、熱風が食品２９や食品容器を加熱するので、高周波加熱調理装置の加熱効率を向上し、省エネルギーに貢献することができる。【選択図】  図１
2004225971.tif 000002
【特許請求の範囲】
【請求項１】
食品を収納する加熱室と、加熱室を有する機器本体と、加熱室に高周波エネルギーを供給する加熱手段と、加熱手段を冷却する冷却ファンと、加熱室に食品を出し入れするために加熱室前面に開閉自在に設けたドアーと、前記加熱手段を冷却した風を加熱室に導くエアーガイドと、冷却空気を加熱室に取り入れるために加熱室壁面に設けられた吸気孔と、加熱室に導入された空気を排出するために加熱室壁面に設けられた排気孔と、エアーガイドの壁面の一部に風向制御壁を設け、食品に冷却風を直接当てることを特徴とした高周波加熱調理装置。
【請求項２】
食品を収納する加熱室と、加熱室を有する機器本体と、加熱室に高周波エネルギーを供給する加熱手段と、加熱手段を冷却する冷却ファンと、加熱室に食品を出し入れするために加熱室前面に開閉自在に設けたドアーと、前記加熱手段を冷却した風を加熱室に導くエアーガイドと、冷却空気を加熱室に取り入れるために加熱室壁面に設けられた吸気孔と、加熱室に導入された空気を排出するために加熱室壁面に設けられた排気孔と、食品を載置するための食品載置台と、エアーガイドの壁面の一部にはその延長線上に食品載置台の略中央部に向いた風向制御壁とを備えてなる高周波加熱調理装置。
【請求項３】
風向制御壁はエアーガイドの下方に配置してなる請求項１または２に記載の高周波加熱調理装置。
【請求項４】
風向制御壁は一部がエアーガイドの外壁より分離してなる請求項１、２または３に記載の高周波加熱調理装置。
【発明の詳細な説明】
【０００１】
【発明の属する技術分野】
本発明は、マグネトロンを冷却した風を加熱室に導くエアーガイドを有した高周波加熱調理装置に関するものである。
【０００２】
【従来の技術】
従来、この種の高周波加熱調理装置としては、図４及び図５に記載されているようなものがあった。図４は、前記公報に記載された従来の高周波加熱調理装置の外観を、図５は、従来の高周波加熱調理装置の要部断面図を示すものである（例えば、特許文献１参照）。
図４および図５において、１７は機器本体、１８は冷却ファン、２１は加熱室、２１ａは加熱室壁面、２２はマグネトロン、２３は高圧トランス、２４はエアーガイド、２５は吸気孔、２６は整流板、２７はドアー、２９は食品、３０は排気孔である。
【０００３】
【特許文献１】
特開平０５−３３２５５７号公報
【０００４】
【発明が解決しようとする課題】
しかしながら、前記従来の構成では、マグネトロンを冷却した風は、主に食品から発生する蒸気を排気孔から加熱室外に排出したり、ドアーの窓に付着した蒸気を吹き飛ばしたり、乾燥させることに用いられており、マグネトロンで発生した熱エネルギーを充分に活用していないという課題を有していた。一般的に、マグネトロンは投入電力に比しおよそ７０％程度の高周波エネルギーへの変換効率があるが、残りのエネルギーは熱となって排出されており、高周波加熱調理装置の省エネルギー対策にとって大きな課題となっていた。
【０００５】
本発明は、前記従来の課題を解決するもので、簡単な構成で、食品の加熱効率を向上する高周波加熱調理装置を提供することを目的とする。
【０００６】
【課題を解決するための手段】
前記従来の課題を解決するために、本発明の高周波加熱調理装置は、加熱室に高周波エネルギーを供給するマグネトロンや高圧トランス等よりなる加熱手段と、加熱手段を冷却する冷却ファンと、マグネトロンを冷却した風を加熱室に導くエアーガイドと、冷却空気を加熱室に取り入れるために加熱室壁面に設けられた吸気孔と、加熱室に導入された空気を排出するために加熱室壁面に設けられた排気孔と、エアーガイドの壁面の一部に風向制御壁を設け、食品に冷却風を直接当てることを特徴としたものである。
【０００７】
これによって、マグネトロンを冷却し、エアーガイド内に入った熱風が風向制御壁によって食品載置台の略中央部に向けて吹き出されるので、熱風により食品や食品容器を加熱することになり、高周波加熱調理装置の加熱効率を向上し、省エネルギーに貢献することが出来る。
【０００８】
【発明の実施の形態】
請求項１に記載の発明は、食品を収納する加熱室と、加熱室を有する機器本体と、加熱室に高周波エネルギーを供給する加熱手段と、加熱手段を冷却する冷却ファンと、加熱室に食品を出し入れするために加熱室前面に開閉自在に設けたドアーと、前記加熱手段を冷却した風を加熱室に導くエアーガイドと、冷却空気を加熱室に取り入れるために加熱室壁面に設けられた吸気孔と、加熱室に導入された空気を排出するために加熱室壁面に設けられた排気孔と、エアーガイドの壁面の一部に風向制御壁を設け、食品に冷却風を直接当てることにより、マグネトロンを冷却し、エアーガイド内に入った熱風が風向制御壁によって食品に向けて吹き出されるので、熱風により食品や食品容器を加熱するので、高周波加熱調理装置の加熱効率を向上し、省エネルギーに貢献することができる。
【０００９】
請求項２に記載の発明は、食品を収納する加熱室と、加熱室を有する機器本体と、加熱室に高周波エネルギーを供給するマグネトロンや高圧トランス等よりなる加熱手段と、加熱手段を冷却する冷却ファンと、加熱室に食品を出し入れするために加熱室前面に開閉自在に設けたドアーと、マグネトロンを冷却した風を加熱室に導くエアーガイドと、冷却空気を加熱室に取り入れるために加熱室壁面に設けられた吸気孔と、加熱室に導入された空気を排出するために加熱室壁面に設けられた排気孔と、食品を載置するための食品載置台と、エアーガイドの壁面の一部にはその延長線が食品載置台の略中央部に向いた風向制御壁とを備えることにより、マグネトロンを冷却し、エアーガイド内に入った熱風が風向制御壁によって食品載置台の略中央部に向けて吹き出されるので、熱風により食品や食品容器を加熱するので、高周波加熱調理装置の加熱効率を向上し、省エネルギーに貢献することができる。
【００１０】
請求項３に記載の発明は、特に、高周波加熱調理装置の風向制御壁をエアーガイドの下方に配置することにより、マグネトロンを冷却し、エアーガイド内に入った熱風の下部分は、加熱室底部に載置された食品や食品容器に集中して当たるので、効率よく食品や食品容器を加熱することができる。また、熱風の上部分は、主にドアーの窓に付着した蒸気を吹き飛ばしたり乾燥させることに用いられが、食品から発生する蒸気は加熱室の上部に向って蒸発しているので効率よくドアーの曇りを防ぐことができ、従来のドアーの曇りを防ぐ効果についても低下させることはない。
【００１１】
請求項４に記載の発明は、特に、高周波加熱調理装置の風向制御壁の一部をエアーガイドの外壁より分離し、隙間を作ることにより、隙間からもれるエアーガイドの下部分を流れる冷却風をドアーの曇り防止や蒸気の排出にも利用することができ、この隙間の大きさと位置により、食品の加熱とドアーの曇り防止や蒸気の排出に対する効果のバランスを微調整することができる。
【００１２】
【実施例】
以下本発明の実施例について、図面を参照しながら説明する。
【００１３】
（実施例１）
図１は、本発明の第１の実施例における高周波加熱調理装置の要部断面図を示すものである。
【００１４】
図１において、１８は加熱室２１に高周波エネルギーを供給するマグネトロン２２を冷却する冷却ファンで、２４はマグネトロン２２を冷却し、熱風となった冷却風を加熱室２１に導くためのエアーガイドである。２５は冷却空気を加熱室２１内に取り入れるために加熱室壁面２１ａに設けられた吸気孔で、エアーガイド２４の壁面の一部にその延長線が食品載置台３３の略中央部に向いた風向制御壁３１を形成している。
【００１５】
以上のように構成された高周波加熱調理装置について、以下にその動作、作用を説明する。
【００１６】
まず、冷却ファン１８によりマグネトロン２２を冷却する。エアーガイド２４はその冷却した熱風を加熱室２１に導き、加熱室壁面２１ａに設けられた吸気孔２５から加熱室２１内に吹き出される。エアーガイド２４の壁面の一部には、その延長線が食品載置台３３の略中央部に向いた風向制御壁３１を設け、冷却風の一部を食品載置台３３の略中央部に置かれた食品２９およびその容器（図示せず）に当てる。残りの冷却風は従来と同様にドアー２７の窓２８に当たる。
【００１７】
以上のように、本実施例においては、マグネトロン２２を冷却する冷却ファン１８と、マグネトロン２２を冷却した風を加熱室２１に導くエアーガイド２４と、冷却空気を加熱室２１に取り入れるために加熱室壁面２１ａに設けられた吸気孔２５と、エアーガイド２４の壁面の一部にはその延長線が食品載置台３３の略中央部に向いた風向制御壁３１とを備えることにより、マグネトロン２２を冷却し、エアーガイド２４内に入った熱風が風向制御壁３１によって食品載置台３３の略中央部に向けて吹き出されるので、熱風により食品２９や食品容器を加熱するので、高周波加熱調理装置の加熱効率を向上し、省エネルギーに貢献することができる。
【００１８】
（実施例２）
図２は、本発明の第２の実施例における高周波加熱調理装置の要部斜視図である。図２において、３１はエアーガイド２４の下方に配置した風向制御壁であり、実施例１の構成と異なるところは、エアーガイド２４の下方に風向制御壁３１を配置した点である。なお、実施例１と同一符号のものは同一構造を有し、説明は省略する。
【００１９】
まず、風向制御壁３１をエアーガイド２４の下方に配置することにより、マグネトロン２２を冷却し、エアーガイド２４内に入った熱風の下部分は、加熱室２１底部に載置された食品２９や食品容器に集中して当たる。また、冷却風の上部分は、主にドアー２７の窓２８に集中して当たる。
【００２０】
以上のように、本実施例に置いては風向制御壁３１をエアーガイド２４の下方に配置することにより、マグネトロン２２を冷却し、エアーガイド２４内に入った熱風の下部分は、加熱室２１底部に載置された食品２９や食品容器に集中して当たるので、効率よく食品２９や食品容器を加熱することができる。また、冷却風の上部分は、主にドアー２７の窓２８に向かい集中して当たるので、窓２８に付着した蒸気を吹き飛ばしたり乾燥することができる。ここで、食品２９から発生する蒸気は加熱室２１の上部に向って蒸発しているので効率よくドアー２７の曇りを防ぐことができ、従来のドアー２７の曇り防止効果についても低下させることはない。
【００２１】
（実施例３）
図３は、本発明の第３の実施例における高周波加熱調理装置の要部断面図である。図３において、３２は風向制御壁３１の一部をエアーガイド２４の外壁より分離して形成した隙間であり、実施例１ないし２の構成と異なるところは風向制御壁３１の一部をエアーガイド２４の外壁より分離して隙間３２を形成した点である。なお、実施例１ないし２と同一符号のものは同一構造を有し、説明は省略する。
【００２２】
まず、風向制御壁３１の一部をエアーガイド２４の外壁より分離し隙間３２を作ることにより、隙間３２から漏れるエアーガイド２４の下部分を流れる冷却風の一部がドアー２７の下部に向って吹き出される。
【００２３】
以上のように、本実施例に置いては風向制御壁３１の一部をエアーガイド２４の外壁より分離し隙間３２を作ることにより、隙間３２から漏れるエアーガイド２４の下部分を流れる冷却風の一部をドアー２７の曇り防止や蒸気の排出にも利用することができ、食品２９の加熱とドアー２７の曇り防止や蒸気の排出に対する効果のバランスを微調整することができる。
【００２４】
【発明の効果】
以上のように、請求項１〜４に記載の発明によれば、マグネトロンを冷却し、エアーガイド内に入った熱風が風向制御壁によって食品載置台の略中央部に向けて吹き出され、熱風により食品や食品容器を加熱するので、高周波加熱調理装置の加熱効率を向上し、省エネルギーに貢献することができる。また、冷却風の一部分は、ドアーの窓に向かい集中して当たるので、ドアーの窓に付着した蒸気を吹き飛ばしたり乾燥させる従来のドアーの曇り防止効果についても低下させることはない。
【図面の簡単な説明】
【図１】本発明の実施例１における高周波加熱調理装置の要部断面図
【図２】本発明の実施例２における高周波加熱調理装置の要部斜視図
【図３】本発明の実施例３における高周波加熱調理装置の要部断面図
【図４】従来の高周波加熱調理装置の外観斜視図
【図５】従来の高周波加熱調理装置の要部断面図
【符号の説明】
１８  冷却ファン
２１    加熱室
２２  マグネトロン
２４  エアーガイド
２５  吸気孔
２７  ドアー
２８  窓（ドアー）
２９  食品
３０  排気孔
３１  風向制御壁
３２  隙間（エアーガイド）
３３  食品載置台
【図１】
2004225971.tif 000003
【図２】
2004225971.tif 000004
【図３】
2004225971.tif 000005
【図４】
2004225971.tif 000006
【図５】
2004225971.tif 000007